(57)【要約】【課題】コンバータレンズ等の補助光学系の光軸とカメラ側の鏡筒の光軸との芯ずれを防止する。【解決手段】鏡筒部５と、鏡筒部が貫通する開口１１が設けられた外観部材１と、開口１１の周縁部に設けられ、補助光学系２が装着される保持部３と、鏡筒部５と外観部材１の間と、外観部材１と保持部３の間との少なくとも一方に設けられ、鏡筒部５と保持部３との調心に伴う鏡筒部５と保持部３との相対移動を許容する可動支持部８と、鏡筒部５に設けられ、保持部３に対してこの鏡筒部５を位置決めする位置決め部とを有するカメラとし、位置決め部に対して補助光学系、保持部又は開口の周縁等を当接させ、調心することによって補助光学系の光軸と鏡筒の光軸とのずれが防止され、かつ、可動支持部を設けたことにより、調心動作によって鏡筒が歪んだり、鏡筒が撮像部に対して傾くおそれが低減される。【選択図】  図１
2006133562.tif 000002
【特許請求の範囲】
【請求項１】
鏡筒部と、
前記鏡筒部が貫通する開口が設けられた外観部材と、
前記開口の周縁部に設けられ、補助光学系が装着される保持部と、
前記鏡筒部と前記外観部材の間と、前記外観部材と前記保持部の間との少なくとも一方に設けられ、前記鏡筒部と前記保持部との調心に伴う前記鏡筒部と前記保持部との相対移動を許容する可動支持部と、
前記鏡筒部に設けられ、前記保持部に対してこの鏡筒部を調心する基準となる位置決め部と
を有するカメラ。
【請求項２】
請求項１に記載のカメラにおいて、
前記位置決め部は、前記保持部に前記補助光学系を装着したときに、この補助光学系の一部に対して固定される
ことを特徴とするカメラ。
【請求項３】
請求項１に記載のカメラにおいて、
前記位置決め部は、前記保持部に対して固定される
ことを特徴とするカメラ。
【請求項４】
請求項１に記載のカメラにおいて、
前記位置決め部は、前記外観部材の前記開口の周縁部に固定され、
前記保持部は、前記外観部材にこの開口と略同心に固定される
ことを特徴とするカメラ。
【請求項５】
請求項１から請求項４のいずれか一項に記載のカメラにおいて、
前記可動支持部は、一端が前記外観部材又はこの外観部材に固定された部材に固定され  、他端が鏡筒に固定された部材に固定された弾性部材である
ことを特徴とするカメラ。
【請求項６】
請求項１から請求項５のいずれか一項に記載のカメラにおいて、
前記可動支持部は、一端が前記外観部材に固定され、他端が前記保持部に固定された弾性部材である
ことを特徴とするカメラ。
【請求項７】
請求項５又は請求項６に記載のカメラにおいて、
前記弾性部材は、クランク状に折り曲げられた屈曲部を有する
ことを特徴とするカメラ。
【請求項８】
請求項２に記載のカメラにおいて
前記補助光学系は、コンバータレンズ又はコンバータレンズと前記鏡筒部との間に介装されるアダプタリングを含む
ことを特徴とするカメラ、
【請求項９】
請求項２に記載のカメラにおいて、
前記位置決め部は、前記補助光学系を前記保持部に装着するときに、前記補助光学系と前記鏡筒部との調心を補助する先端が細くなったテーパ状に形成されている
ことを特徴とするカメラ。
【発明の詳細な説明】
【技術分野】
【０００１】
本発明は、コンバータレンズ等の補助光学系を装着可能なカメラに関するものである。
【背景技術】
【０００２】
図１１は、従来のデジタルスチルカメラ（以下、単に「カメラ」と称する。）の鏡筒の対物側に、コンバータレンズ２を装着した状態を示す断面図である。
このカメラは、鏡筒５と、外観部材１と、保持部材３と、本体７と、電池室９と、撮像部１０とを備えている。
【０００３】
鏡筒５は、撮像部１０に対して固定された固定筒５ｂと、固定筒５ａに略同心に挿入された移動筒５ａとを有する。移動筒５ａ内及び固定筒５ｂ内には、それぞれ所定の撮影用レンズが配列されている。そして、移動筒５ａは、フォーカシング時又はズーミング時に、固定筒５ｂに対し、その光軸方向に沿って移動する。
【０００４】
外観部材１は、カメラのケース（筺体）であって、矩形の箱状に形成されており、その前面には、鏡筒５が通される開口１１が設けられている。
【０００５】
保持部材３は、外観部材１の外側であって、開口１１の周縁部にビス止め固定されるリング状の部材である。保持部材３は、その内周側に、後述するコンバータレンズ側のねじ部と係合するねじ部が形成されている。なお、開口１１及び保持部材３の内周側と、鏡筒５との間には、円環状の隙間が形成される。
【０００６】
本体７は、トレー状に形成された部材であって、外観部材１内に収容されている。上述した鏡筒５の固定筒５ｂの一端は、本体７にビス止め固定されている。
また、撮像部１０は、例えばＣＣＤ、ＣＭＯＳ等の撮像素子を備えており、本体７に固定されている。電池室９は、電池が収容される箱状の部材であり、本体７と一体に成型されている。そして、本体７は、その両端部において、外観部材１にビス止め固定されている。
【０００７】
一方、コンバータレンズ２は、対物側の径を大きくしたテーパ状の鏡筒内部に、所定のレンズを配列して構成されている。そして、鏡筒５のカメラ側の端部外周面には、上述した保持部材３のねじ部と係合されるねじ部が形成されている。したがって、コンバータレンズ２は、コンバータレンズ２側のねじ部を保持部材３側のねじ部にねじ込むことによって、カメラに固定され、これによってコンバータレンズ２は、カメラに装備されたレンズの焦点距離をワイド（広角）側又はテレ（望遠）側にシフトすることができる。
【０００８】
また、アダプタリングは、コンバータレンズとカメラとの間に配置し、これを介してコンバータレンズをカメラに装着することにより、ひとつのコンバータレンズを、複数種類のカメラによって共用可能とし、汎用性を高めることができる。
【０００９】
しかし、上述した従来技術の場合には、外観部材と本体部とを固定する箇所の寸法公差又は取り付け誤差に起因して、外観部材と本体部との位置関係が、微小ではあるが、ずれが生じることがあった。
このため、外観部材に固定された保持部材と、本体部に固定された鏡筒との間に芯ずれが生ずる場合があり、この場合には、コンバータレンズの光軸と鏡筒の光軸との間にも芯ずれが生ずることになり、画質の劣化が生ずることがあった。
【００１０】
特に、カメラを小型化するために、レンズのイメージサークルの有効半径を小さく設計している場合に、レンズの焦点距離を広角側にシフトさせるワイドコンバータレンズが鏡筒に対して芯ずれすると、画面の一部に像が投影されない、いわゆる「ケラレ」が生ずる原因となる。
【００１１】
例えば、特許文献１は、カメラの外装部材にバイオネットマウントを固定し、このバイオネットマウントにアダプタ（コンバータ）を装着することを開示している。しかし、これでは、上述したコンバータレンズの光軸と鏡筒の光軸とが芯ずれするという問題を解決できていない。
【特許文献１】特開２０００−３３０１７９号公報（第１ページ、図４等。）
【発明の開示】
【発明が解決しようとする課題】
【００１２】
本発明の課題は、補助光学系の光軸と鏡筒部の光軸との芯ずれを防止するカメラを提供することである。
【課題を解決するための手段】
【００１３】
本発明は、以下のような解決手段により、前記課題を解決する。なお、内容を容易にするために、本発明の実施例に対応する符号を付して説明するが、これに限定されるものではない。
請求項１に記載のカメラは、鏡筒部（５）と、前記鏡筒部が貫通する開口（１１）が設けられた外観部材（１）と、前記開口の周縁部に設けられ、補助光学系（２、４）が装着される保持部（３）と、前記鏡筒部と前記外観部材の間と、前記外観部材と前記保持部の間との少なくとも一方に設けられ、前記鏡筒部と前記保持部との調心に伴う前記鏡筒部と前記保持部との相対移動を許容する可動支持部（８）と、前記鏡筒部に設けられ、前記保持部に対してこの鏡筒部を位置決めする位置決め部とを有するカメラである。
【００１４】
請求項２に記載のカメラは、請求項１に記載のカメラにおいて、前記位置決め部は、前記保持部（３）に前記補助光学系（２、４）を装着したときに、この補助光学系の一部に対して固定されることを特徴とするカメラである。
【００１５】
請求項３に記載のカメラは、請求項１に記載のカメラにおいて、前記位置決め部は、前記保持部（３）に対して固定されることを特徴とするカメラである。
【００１６】
請求項４に記載のカメラは、請求項１に記載のカメラにおいて、前記位置決め部は、前記外観部材（１）の前記開口（１１）の周縁部に固定され、前記保持部は、前記外観部材（１）にこの開口（１１）と略同心に固定されることを特徴とするカメラである。
【００１７】
請求項５に記載のカメラは、請求項１から請求項４のいずれか一項に記載のカメラにおいて、前記可動支持部（８）は、一端が前記外観部材（１）又はこの外観部材に固定された部材（９）に固定され、他端が鏡筒（５）又は鏡筒に固定された部材（７）に固定された弾性部材であることを特徴とするカメラである。
【００１８】
請求項６に記載のカメラは、請求項１から請求項５までのいずれか一項に記載のカメラにおいて、前記可動支持部（８）は、一端が前記外観部材（１）に固定され、他端が前記保持部（３）に固定された弾性部材であることを特徴とするカメラである。
【００１９】
請求項７に記載のカメラは、請求項５又は請求項６に記載のカメラにおいて、前記弾性部材（８）はクランク状に折り曲げられた屈曲部を有することを特徴とするカメラである。
【００２０】
請求項８に記載のカメラは、請求項２に記載のカメラにおいて、前記補助光学系は、コンバータレンズ（２）又はコンバータレンズと前記鏡筒部との間に介装されるアダプタリング（４）であることを特徴とするカメラである。
【００２１】
請求項９に記載のカメラは、請求項２に記載のカメラにおいて、前記位置決め部は、前記補助光学系（２、４）を前記保持部（３）に装着するときに、前記補助光学系と前記鏡筒部（５）との調心を補助する先端が細くなったテーパ状に形成されていることを特徴とするカメラである。
【発明の効果】
【００２２】
本発明によれば、鏡筒部と外観部材との間と、外観部材と保持部の間との少なくとも一方に、鏡筒部と保持部との調心に伴うこれらの相対移動を許容する可動支持部が設けられ、また、鏡筒部に保持部に対して、この鏡筒部を位置決めする位置決め部とが設けられている。これによれば、位置決め部を利用して鏡筒と保持部との位置決めを行うことによって、保持部に対し、例えば、コンバータレンズ等の補助光学系の光軸と、鏡筒の光軸との芯ずれが防止される。そして、このような調心動作に追従して可動支持部が動作するから、調心動作によって鏡筒が歪んだり、鏡筒が撮像部に対して傾くことを防止できる。
【００２３】
また、弾性部材がクランク状に折り曲げられた屈曲部を設けると、弾性部材の変形が容易となる効果がある。
【００２４】
さらに、鏡筒の位置決め部を先端が細くなったテーパ状に形成すると、補助光学系の装着時に、この補助光学系を少しずつカメラ側に寄せていくと調心が補助され、いわば自動調心機能を発揮することができる。
【発明を実施するための最良の形態】
【００２５】
以下、本発明を実施するための最良の形態を、実施例をあげて、更に詳しく説明する。
【実施例１】
【００２６】
図１は、本発明を適用したカメラの実施例１に、コンバータレンズを装着した状態を示す断面図である。
以下に示す各実施例においては、上述した従来例と同様の機能を果たす部分には、同一の符号を付して、重複する説明を省略し、主に相違点について説明する。
【００２７】
実施例１のカメラでは、本体７は、鏡筒５を挟んだその両端部で、外観部材１に対して、弾性部材８を介して、固定されている。
弾性部材８は、中間部分にクランク状に成型された屈曲部を有し、外観部材１に対して本体７を支持するブラケットとして設けられている。弾性部材８の屈曲部は、本体７が外観部材１に対して、少なくとも鏡筒５の筒軸方向と直交する方向に移動することを許容するように形成されている。そして、弾性部材８は、その一端が外観部材１にビス止め固定され、他端が本体７にビス止め固定されている。
この弾性部材８は、例えば、ゴム、軟質な樹脂、ばね用金属等の弾性変形が可能な材料によって製作されている。
【００２８】
一方、鏡筒５は、固定筒５ｂの外周面の外径が、コンバータレンズ２のカメラ側の端部の内周面の内径と略等しく、かつ、所望の寸法公差だけ大きく設定されている。この寸法公差は、コンバータレンズ２の光軸と、鏡筒５の光軸とのずれの許容量を考慮して適宜設定される。
【００２９】
次に、上述した実施例１のカメラに、コンバータレンズ２を装着する際の動作について説明する。
まず、ユーザは、固定筒５ｂが、コンバータレンズ２の内周面に嵌合するように、触感に基づいて位置あわせを行い、その後、コンバータレンズ２のねじ部を保持部材３のねじ部にねじ込んで係合させ、コンバータレンズ２をカメラに固定する。すなわち、固定筒５ｂの外周面は、コンバータレンズ２に対する位置決め部として機能し、コンバータレンズ２の光軸と鏡筒５の光軸とを調心する役割を果たす。
このとき、鏡筒５が保持部材３に対して、外観部材１と本体７との取り付け誤差に起因して、芯ずれが生じていても、弾性部材８が上述した調心動作に追従して弾性変形し、芯ずれによる影響を吸収するから、調心動作によって鏡筒５が歪んだり、又は、鏡筒５が撮像部１０に対して傾くといったおそれが低減される。
【００３０】
以上のように、実施例１によれば、コンバータレンズ２の光軸と鏡筒５との光軸との芯ずれを防止することができ、これによって、画質の劣化、特に、ワイドコンバータレンズにおけるケラレを防止することができる。
【実施例２】
【００３１】
図２は、本発明を適用したカメラの実施例２に、アダプタリング４を介してコンバータレンズ２を装着した状態を示す断面図である。
【００３２】
実施例２においては、カメラ自体は上述した実施例１と同様のものであるが、実施例１ではコンバータレンズ２がその鏡筒の端部を直接カメラ側の保持部材３に装着していたのに対して、実施例２では、コンバータレンズ２と保持部材３との間に、アダプタリング４が設けられている。
【００３３】
アダプタリング４は、筒状に形成され、その一端部がコンバータレンズ２のカメラ側の端部とねじ結合され、他端部が保持部材３のねじ部とねじ結合されている。そして、固定筒５ｂの外周面の外径は、上述した実施例１におけるコンバータレンズ２の内周面と同様に、アダプタリング４の保持部材３側の端部の内周面の内径と略等しく、かつ、所望の寸法公差だけ大きく設定されている。
【００３４】
実施例２の場合にも、実施例１においてコンバータレンズ２を保持部材３に装着するのと同様に、アダプタリング４を保持部材３に装着することによって、コンバータレンズ２の光軸と鏡筒５の光軸とを調心することができる。
【実施例３】
【００３５】
図３は、本発明を適用したカメラの実施例３に、コンバータレンズを装着した状態を示す断面図である。
実施例３においては、電池室９−３は、本体部７から独立して別体に形成され、ビスによって外観部材１に固定されている。そして、本体部７は、鏡筒５を挟んだ一方側において弾性部材８を介して外観部材１に支持され、他方側が弾性部材８−３を介して電池室９−３に支持されている。
実施例３の場合にも、コンバータレンズ２と鏡筒５との調心動作との調心動作に追従して、上述した弾性部材８、８−３が変形するようになっている。
【実施例４】
【００３６】
図４は、本発明を適用したカメラの実施例４に、コンバータレンズを装着した状態を示す断面図である。
実施例４においては、本体部７−４は、その両端部が外観部材１にビス止め固定されている。一方、保持部材３−４は、弾性部材８−４を介して外観部材１に装着され、外観部材１に対して少なくとも鏡筒５の径方向へのずれが許容されている。
【００３７】
実施例４では、保持部材３−４は、外観部材１の開口１１の周縁部に、段状に本体部７側に環状の凹部３ａが形成され、クランク状に形成された弾性部材８−４の一端側は、この凹部３ａにビス止め固定されている。そして、弾性部材８−４の他端部は、外観部材１から内径側に張り出して設けられた面にビス止め固定される。
これによって、保持部材３は、外力が作用したときに、外観部材１に対して鏡筒５の少なくとも径方向に移動可能となっている。
【００３８】
実施例４においては、保持部材３にコンバータレンズ２を挿入して調心を行うと、この調心動作に追従して、弾性部材８−４が変形し、保持部材３が外観部材１に対して鏡筒５の径方向に移動する。
【実施例５】
【００３９】
図５は、本発明を適用したカメラの実施例５に、コンバータレンズを装着した状態を示す断面図である。
実施例５においては、鏡筒５の固定筒５ｂ−５の先端部の外周面が、先端側の外径を小さくしたテーパ状となっている。
また、コンバータレンズ２の鏡筒５のカメラ側の端部の内周面が、固定筒５ｂ−５の外周面のテーパ状の部分に適合したテーパ状となっている。
【００４０】
実施例５においては、コンバータレンズ２をカメラに装着する際に、ユーザが厳密な位置決めを行わなくても、コンバータレンズ２を保持部材３にねじ込む過程において、両者にそれぞれ形成されたテーパ状の面どうしが摺動することによって、自動的に調心されるから、コンバータレンズ２の装着及び調心が容易となる。
【００４１】
なお、コンバータレンズ２が上述した実施例２のように、アダプタリング４を介して保持部材３に装着されるものである場合には、アダプタリング４のカメラ側の端部の内周面に、固定筒５ｂ−５の先端部の外周面のテーパ状の面に適合するテーパ状部を形成すればよく、この場合にも、同様の効果を奏することができる。
【実施例６】
【００４２】
図６は、本発明を適用したカメラの実施例６に、コンバータレンズを装着した状態を示す断面図である。
実施例６においては、コンバータレンズ２が装着される保持部材３−６が、外観部材１の鏡筒５が露出する開口１１の周縁部において、外観部材１と一体に形成されている。
このため、部品点数が減少して、コストダウンすることができる。
【実施例７】
【００４３】
図７は、本発明を適用したカメラの実施例７に、コンバータレンズ２を装着した状態を示す断面図である。
実施例７においては、上述した各実施例のように、コンバータレンズ２のカメラ側端部の内周面を鏡筒５の固定筒５ｂに接触させていない。一方、保持部材３−７の内周面の本体部７側寄りの部分に内径側に張り出して形成されたリングプレート部３ｂが設けられ、鏡筒５の固定筒の外周面は、このリングプレート部３ｂの内周縁に周方向にわたって嵌合され、固定されている。
また、実施例７では、実施例１と同様に、本体７は、その両端部を、弾性部材８を介して外観部材１に装着している。
【００４４】
すなわち、実施例７の場合には、リングプレート部３ｂの内周縁に鏡筒５の固定筒５ｂの外周面を挿入し、周方向にわたって嵌合させることによって、保持部材３−７と鏡筒５の光軸との調心とが行われ、これらの芯ずれがカメラの製造あるいは組み立て段階において防止される。このとき、外観部材１と本体部７との間に設けられた弾性部材８が変形することによって、本体部７が鏡筒５に追従して変移する。
【００４５】
したがって、ユーザは、単にコンバータレンズ２のねじ部を保持部材３−７のねじ部にねじ込むことによって、コンバータレンズ２を、その光軸が鏡筒５の光軸と調心された状態でカメラに装着することができる。
【実施例８】
【００４６】
図８は、本発明を適用したカメラの実施例８に、コンバータレンズ２を装着した状態を示す断面図である。
実施例８は、保持部材３−８を、弾性部材８−８を介して外観部材１に装着した点で上述した実施例４に類似するが、コンバータレンズ２の光軸に対する鏡筒５の調心を、保持部材３−８のリングプレート部３ｃの内周面によって行う点で相違し、この点においては実施例７に類似する。
すなわち、コンバータレンズ２の鏡筒のレンズ側の端部内周面は、鏡筒５の固定筒５ｂに接しておらず、周方向にわたって所定の隙間を隔てて対向している。
【００４７】
一方、弾性部材８−８を介して外観部材に装着された外観部材３の内面の、コンバータレンズ２とねじ結合されるねじ部の終端側から、その内径側に張り出して形成されたリングプレート部３ｃが設けられており、鏡筒５の固定筒５ｂの外周面は、リングプレート部３ｃの内周縁部に挿入され、周方向にわたって嵌合される。これによって、鏡筒５の光軸が保持部材３−８の筒軸、ひいてはコンバータレンズ２の光軸に対して調心される。
なお、実施例８では、本体７の両端部は、それぞれ外観部材１にビス固定され、調心動作による影響は、主として、外観部材１と保持部材３−８との間に設けられた弾性部材８−８が変形することによって吸収される。
【実施例９】
【００４８】
図９は、本発明を適用したカメラの実施例９にコンバータレンズを装着した状態を示す断面図である。
実施例９は、保持部材３−９を外観部材と一体形成した点において、上述した実施例６に類似する。しかし、実施例９においては、コンバータレンズ２は、固定筒５ｂ−９と直接接触せず、保持部材３のねじ部端部付近より内径側に張り出して形成されたリングプレート部３ｄが接触し、その内周縁部に鏡筒５の固定筒５ｂ−９が直接挿入され、周方向にわたって嵌合させられている。
【００４９】
これによって、鏡筒５の光軸と保持部材の中心軸、ひいては、コンバータレンズ２の光軸との調心がなされ、この調心による影響は、本体７の両端部と外観部材１との間にそれぞれ設けられた弾性部材８−９が変形することによって吸収する。
【実施例１０】
【００５０】
図１０は、本発明を適用したカメラの実施例１０にコンバータレンズを装着した状態を示す図である。
実施例１０は、上述した実施例９と類似するが、保持部材３−１０は外観部材１と別体に形成され、外観部材１にビス止め固定されている。そして、固定筒５ｂは、外観部材１の前面に保持部材３―１０と同心に形成され、鏡筒５が通される開口１ａの周縁部に、その周方向にわたって嵌合させられ、これによって保持部材３−１０の中心軸と鏡筒５の光軸との調心がなされている。
また、本体部７は、弾性部材８を介して外観部材１に取り付けられ、この弾性部材８は、調心に伴う影響を吸収するように変形する。
【００５１】
（変形例）
本発明は、上述した各実施例によって限定されるものではなく、その範囲内で適宜変形、変更することができる。
（１）上述した各実施例は、デジタルスチルカメラに係るものであるが、これに限らず例えば銀塩フィルムカメラや、ムービー用のカメラにも本発明を適用することができる。
（２）コンバータレンズ２又はアダプタリング４の保持部材３への取り付けも、上述した各実施例ではスクリューマウントによるねじ込み式であるが、これに限定されず、バイオネットとする等、適宜変更することができる。
（３）このコンバータレンズには、例えば、鏡筒５の焦点距離をワイド（広角側）にシフトさせるワイドコンバータレンズ、テレ（望遠側）にシフトさせるテレコンバータレンズの例で説明したが、魚眼レンズとしての撮影を可能とするフィッシュアイコンバータレンズ等も含まれる。
【図面の簡単な説明】
【００５２】
【図１】本発明を適用したカメラの実施例１にコンバータレンズを装着した状態を示す断面図である。
【図２】本発明を適用したカメラの実施例２にアダプタリングを介してコンバータレンズを装着した状態を示す断面図である。
【図３】本発明を適用したカメラの実施例３にコンバータレンズを装着した状態を示す断面図である。
【図４】本発明を適用したカメラの実施例４にコンバータレンズを装着した状態を示す断面図である。
【図５】本発明を適用したカメラの実施例５にコンバータレンズを装着した状態を示す断面図である。
【図６】本発明を適用したカメラの実施例６にコンバータレンズを装着した状態を示す断面図である。
【図７】本発明を適用したカメラの実施例７にコンバータレンズを装着した状態を示す断面図である。
【図８】本発明を適用したカメラの実施例８にコンバータレンズを装着した状態を示す断面図である。
【図９】本発明を適用したカメラの実施例９にコンバータレンズを装着した状態を示す断面図である。
【図１０】本発明を適用したカメラの実施例１０にコンバータレンズを装着した状態を示す断面図である。
【図１１】従来技術に係るデジタルスチルカメラにコンバータレンズを装着した状態における断面図である。
【符号の説明】
【００５３】
１    外観部材
２    コンバータレンズ
３    保持部材
４    アダプタリング
５    鏡筒
５ａ  移動筒
５ｂ  固定筒
８    弾性部材
９    電池室
１０    撮像部
１１    開口
【図１】
2006133562.tif 000003
【図２】
2006133562.tif 000004
【図３】
2006133562.tif 000005
【図４】
2006133562.tif 000006
【図５】
2006133562.tif 000007
【図６】
2006133562.tif 000008
【図７】
2006133562.tif 000009
【図８】
2006133562.tif 000010
【図９】
2006133562.tif 000011
【図１０】
2006133562.tif 000012
【図１１】
2006133562.tif 000013